(57)【要約】      （修正有）【課題】１個のティッシュボックスのみならず、スペアのもう１個をも見栄え良く収納ができるとともに多様な使用態様を持つティッシュボックスカバーを提供する。【解決手段】ティッシュペーパーの取り出しスリットを設けた長方形の上面部と、底面側を開放するように、上面部の両長辺から下方に向かって対向して延設される一対の第１フラップと、同様に両短辺から延設される一対の第２フラップとからなるティッシュボックスカバーの本体であって、第２フラップは第１フラップよりも下方に向かって長く延設され、一対の第１フラップの各々は、下方に向かって延設した端部同士を、伸縮性のあるベルト体を介して連結するとともに、本体にティッシュボックスを収納したとき、該ティッシュボックスの底面側でオーバーラップせずに固定され、もう一対の第２フラップの各々は、該ティッシュボックスの底面側で長辺方向にオーバーラップして固定されるように構成した。【選択図】図１
2009046193.tif 000002
【特許請求の範囲】
【請求項１】
ティッシュボックスの平面視寸法と略同一寸法であって、ティッシュペーパーの取り出しスリットを設けた長方形の上面部と、底面側を開放するように、前記長方形の上面部の両長辺から下方に向かって対向して延設される一対の第１フラップと、同様に両短辺から下方に向かって対向して延設される一対の第２フラップとからなるティッシュボックスカバーの本体であって、第２フラップは第１フラップよりも下方に向かって長く延設され、一対の第１フラップの各々は、下方に向かって延設した端部同士を、伸縮性のあるベルト体を介して連結するとともに、本体にティッシュボックスを収納したとき、該ティッシュボックスの底面側でオーバーラップせずに固定され、もう一対の第２フラップの各々は、本体にティッシュボックスを収納したとき、該ティッシュボックスの底面側で長辺方向にオーバーラップして固定されることを特徴とするティッシュボックスカバー。
【発明の詳細な説明】
【技術分野】
【０００１】  本発明は、ティッシュボックスのカバーに関し、特にスペアのティッシュボックスも同時に体裁良くカバーして収納することが可能なティッシュボックスカバーに関する。
【背景技術】
【０００２】  現在、ティッシュボックスのサイズは平面視寸法を長辺約２５０ｍｍ×短辺約１２０ｍｍとして、厚みを変えた３タイプに分類される。スペース効率を追求した超薄型（厚み５０ｍｍ）、現在最も普及している薄型（厚み６５ｍｍ）、肌触りを追求した高級な厚型（厚み１００〜１１０ｍｍ）の３タイプである。そしてこれらティッシュボックスは、厚型を除いては５個で１パックにまとめられ店頭に陳列されているので、使用者は通常１パックを購入して使用する。【０００３】  ティッシュボックスは、その紙箱の表面に花柄や波柄などの印刷を施し、意匠に工夫を凝らして外観上の見栄えを良くはしているものの、実際にはティッシュボックス以外の何者でもなくそのままの状態では決して見栄えが良い、体裁が良いなどといった代物ではない。そこで、ティッシュボックスの見栄えを良くするためのカバーが種々提案されている。一般的に良く知られているものは、無地や柄のある布地で１個のティッシュボックスを覆ったり、包んだりして収納するようにしたもので、一部に開口されたスリットや孔からティッシュペーパーを取り出すように構成されている。これらのカバーは家庭や自動車で適宜な場所に置いて使用される。【０００４】  また、２個のティシュボックスを背中合わせでカバーに収納し、上面と底面の両面にティッシュペーパーの取り出し口を形成し、どちらの取り出し口からでもティッシュペーパーを取り出し可能にし、または片方の空になったティシュボックスをゴミ箱として利用できるようにしたもの（例えば特許文献１）が提案されている。【０００５】  さらに、前述の特許文献１と同様に、２個のティシュボックスを背中合わせでカバーに収納し、自動車の座席のヘッドレストのステーに吊り下げ具を利用して掛けて、前席と後席の２方向からティシュペーパーを取り出して使用することができるもの（例えば特許文献２）が提案されている。【０００６】
【特許文献１】  特開２００２−３０２１７１号公報
【特許文献２】  特開２００３−１９２０５８号公報
【発明の開示】
【発明が解決しようとする課題】
【０００７】  ところで、前述の特許文献１の特開２００２−３０２１７１号公報「ティッシュボックス及びティッシュボックス収納ケース」、特許文献２の特開２００３−１９２０５８号公報「ティシュボックスカバーおよびティシュボックス」に、スペアのティッシュボックスを収納しようとするならば、２個収納したティッシュボックスのうち、片方のティッシュボックスを使用しなければそれで事足りる。また、これらのカバーは、当初から２個収納して２方向からティッシュペーパーを取り出して使用するか、または一方をゴミ入れにするという使用方法を前提としているために、１個だけ収納したいという要望には当然ながら応えられず、１個だけ収納した場合はもう一方のティッシュボックスのスペースが空になる。布地で形成していれば型が崩れ見栄えが著しく悪くなり、硬い材質で形成している場合は見栄えは良いが無駄なスペースが生じてしまう。【０００８】  そこで本発明は、上記した課題を考慮し、１個のティッシュボックスを見栄え良く収納することができるとともに、さらにスペアとしてのもう１個のティッシュボックスも見栄え良く収納することができるとともに多様な使用態様を持つティッシュボックスカバーを提供することを目的とする。
【課題を解決するための手段】
【０００９】  ティッシュボックスの平面視寸法と略同一寸法であって、ティッシュペーパーの取り出しスリットを設けた長方形の上面部と、底面側を開放するように、前記長方形の上面部の両長辺から下方に向かって対向して延設される一対の第１フラップと、同様に両短辺から下方に向かって対向して延設される一対の第２フラップとからなるティッシュボックスカバーの本体であって、第２フラップは第１フラップよりも下方に向かって長く延設され、一対の第１フラップの各々は、下方に向かって延設した端部同士を、伸縮性のあるベルト体を介して連結するとともに、本体にティッシュボックスを収納したとき、該ティッシュボックスの底面側でオーバーラップせずに固定され、もう一対の第２フラップの各々は、本体にティッシュボックスを収納したとき、該ティッシュボックスの底面側で長辺方向にオーバーラップして固定されることで解決される。
【発明の効果】
【００１０】  ティッシュボックスの平面視寸法と略同寸法であって、ティッシュペーパーの取り出しスリットを設けた長方形の上面部と、底面側を開放するように、前記長方形の上面部の両長辺から下方に向かって対向して延設される一対の第１フラップと、同様に両短辺から下方に向かって対向して延設される一対の第２フラップとからなるティッシュボックスカバーの本体であって、第２フラップは第１フラップよりも下方に向かって長く延設され、一対の第１フラップの各々は、下方に向かって延設した端部同士を、伸縮性のあるベルト体を介して連結するとともに、本体にティッシュボックスを収納したとき、該ティッシュボックスの底面側でオーバーラップせずに固定され、もう一対の第２フラップの各々は、本体にティッシュボックスを収納したとき、該ティッシュボックスの底面側で長辺方向にオーバーラップして固定したので、超薄型または薄型のティッシュボックスであれば、１個単品で、またはスペア用としてさらに１個追加して合わせて２個、厚型であれば１個単品のティッシュボックスをそれぞれの状態で見栄え良く収納することができる極めて広い収納態様のティッシュボックスカバーを提供することが可能となったものである。
【発明を実施するための最良の形態】
【００１１】  次に、本発明のティッシュボックスカバーについて、図面を参照して詳細に説明する。図１は本発明の全体図である。（１）はティシュボックスカバーの本体、（２）は長辺（２ａ）と短辺（２ｂ）とからなる長方形の上面部であってティティッシュペーパーの取り出しスリット（２ｃ）を設けてなる。（３）は該上面部（２）の両長辺（２ａ）から下方に向かって対向して延設される一対の第１フラップで、（４）は前記同様に両短辺（２ｂ）から下方に向かって対向して延設される一対の第２フラップで、以上の部材から構成されている。【００１２】  図２は第１フラップ（３）の長さの説明図であり、第１フラップ（３）の各々は、下方に向かって延設したその長さを、前述（段落番号０００２参照）の現在最も普及している薄型ティッシュボックス（厚み６５ｍｍ）を基準にして設計した。すなわち、厚み６５ｍｍの薄型ティッシュボックスを単品で収納するのならば第１フラップ（３）の長さは６５ｍｍあればティッシュボックスの側面をカバーすることができるが、本発明のティッシュボックスカバーは１個の収納のみならず、スペアとしてさらにもう１個のティッシュボックスも体裁良く収納することを目的としているので、薄型ティッシュボックス２個分の厚みである１３０ｍｍを第１フラップ（３）の長さとすることにより、薄型ティッシュボックスを二個重ねた状態の側面をカバーすることが可能となる。したがって他のサイズのティッシュボックスの場合であっても１３０ｍｍの長さ範囲内であれば同様な態様で収納することが可能である。但し厚型の場合は、１個の収納だけの設定とした。何故なら５個１パックで販売されることはないことと、２個重ねて収納すると極めて大きなディッシュカバーとなってしまうという欠点が逆に生じてしまうため、設定の範囲外としたものである。【００１３】  図３は第１フラップ（３）に設けられたベルト体（５）の説明図であり、第１フラップ（３）は、両端部（３ａ）同士を、伸縮性のあるベルト体（５）を介して連結したので、前述のパターンでティッシュボックスを収納したときにベルト体（５）の引張力によりテンションがかかりティッシュボックス（６）の側面に沿いつつ底面側でオーバーラップすることなくぴったり固定される。ここでオーバーラップすることなく固定されるということを詳細に説明すると、この段階ではティッシュボックス（６）の底面側は一部を露呈している状態であり、この後第２フラップで覆われるので露呈している状態でもまったく差し支えなく、第１フラップ（３）の面積も少なくコスト面で有効であるということである。【００１４】  第２フラップ（４）の各々の長さは、第１フラップ（３）よりも長く延設し、第１フラップ（３）の長さを設定した基準を適用し、２７５ｍｍとした。その根拠は、薄型ティッシュボックスを２個重ねた状態の厚み１３０ｍｍ、ティッシュボックス（６）の長辺寸法２５０ｍｍの半分の１２５ｍｍ、面テープ（４ｂ）での最低限の接着シロ２０ｍｍの合計値である。【００１５】  図４はこのような長さに設定された第２フラップ（４）のオーバーラップした状態を示す図であり、第２フラップ（４）の各々は、ティッシュボックス（６）の底面側でオーバーラップ��て面テープ（４ｂ）にて固定さる。これにより第２フラップ（４）は最も薄い５０ｍｍの超薄型ティッシュボックス単品から、最も厚い６５ｍｍの薄型ティッシュボックス２個を収納した状態まで、ティッシュボックスの底面側の範囲内（側面に出っ張って見苦しくなることがないように）でオーバーラップして固定することが可能となった。図５は薄型ティッシュボックスを１個収納した状態を示す図であり、図６は薄型ティッシュボックスを２個収納した状態を示す図である。【００１６】  図７及び８は吊り下げ具の説明図であり、第２フラップ（４）の裏面に紐やベルトなどの吊り下げ具（７）を通すためのループ（４ｃ）を設けた。これにより吊り下げ具（７）の通し方を適宜変更することで、ティッシュボックスカバー（１）を図６のように縦方向、あるいは図７のように横方向に吊り下げ方を使い勝手に応じて適宜選択することができる。図９は自動車のヘッドレストのステーに吊り下げた状態を示す図である。なお、吊り下げ具（７）を外せば外観にループ（４ｃ）は露呈しないので家庭や自動車の室内で見苦しくなく見栄え良い外観を維持して載置することができる。自動車のヘッドレストステーや、家具などに使い勝手に応じた【００１７】  このように構成された本発明のティッシュボックスカバーは、種々厚みのティッシュボックスを１個の収納のみならず、スペアとしてさらにもう１個の合計２個の場合であっても、体裁良く収納するとともに、紐やベルトなどの吊り下げ具（７）で、自動車のヘッドレストステーや、家具などに掛けて使用することができる見栄え良い外観と、多様な使用態様を可能としたものである。
【図面の簡単な説明】
【００１８】
【図１】本発明の全体図である。
【図２】第１フラップの長さの説明図である。
【図３】第１フラップに設けられたベルト体の説明図である。
【図４】第２フラップのオーバーラップした状態を示す図である。
【図５】薄型ティッシュボックスを１個収納した状態を示す図である。
【図６】薄型ティッシュボックスを２個収納した状態を示す図である。
【図７】吊り下げ具の説明図である。
【図８】吊り下げ具の説明図である。
【図９】自動車のヘッドレストのステーに吊り下げた状態を示す図である。
【符号の説明】
【００１９】      １          ティッシュボックスカバーの本体
２          上面部
２ａ        長辺
２ｂ        短辺
２ｃ        スリット
３          第１フラップ
３ａ        端部
４          第２フラップ
４ａ        端部
４ｂ        面ファスナー
４ｃ        ループ
５          ベルト体
６          ティッシュボックス
７          吊り下げ具
【図１】
2009046193.tif 000003
【図２】
2009046193.tif 000004
【図３】
2009046193.tif 000005
【図４】
2009046193.tif 000006
【図５】
2009046193.tif 000007
【図６】
2009046193.tif 000008
【図７】
2009046193.tif 000009
【図８】
2009046193.tif 000010
【図９】
2009046193.tif 000011